(57)【要約】【課題】  表示品質を向上させることができる光拡散ユニット、これを有する表示装置、及びその製造装置が開示される。【解決手段】  光拡散ユニットは、拡散プレート及び突出部を含む。拡散プレートは、光を拡散させる光拡散物質からなり、突出部は拡散プレートから突出して拡散プレートの中心部が下にふっくらとして撓むように誘導する。従って、表示装置の表示品質を向上させることができる。【選択図】    図１
2006106651.tif 000002
【特許請求の範囲】
【請求項１】
光を拡散させる光拡散物質からなる拡散プレートと、
前記拡散プレートに形成され、前記拡散プレートの中心部が下にふっくらとして撓むように誘導する突出部と、を含むことを特徴とする光拡散ユニット。
【請求項２】
前記拡散プレートは、ポリメチルメタクリレート（Ｐｏｌｙｍｅｔｈｙｌｍｅｔｈａｃｒｙｌａｔｅ；ＰＭＭＡ）系列からなることを特徴とする請求項１記載の光拡散ユニット。
【請求項３】
前記突出部は、前記拡散プレートの荷重により前記拡散プレートの中心部が下にふっくらとして撓むように誘導できるだけ前記拡散プレートの下面の端部から突出したことを特徴とする請求項１記載の光拡散ユニット。
【請求項４】
前記突出部は、前記拡散プレートと一体で形成されたことを特徴とする請求項３記載の光拡散ユニット。
【請求項５】
前記突出部は、前記拡散プレートの下面に形成された多数の突起で構成され、前記拡散プレートの下面の全体面積を増加させることを特徴とする請求項１記載の光拡散ユニット。
【請求項６】
前記多数の突起は、プリズム形状を有することを特徴とする請求項５記載の光拡散ユニット。
【請求項７】
前記多数の突起のピッチは、ラウンドされた形状を有することを特徴とする請求項６記載の光拡散ユニット。
【請求項８】
光を拡散させる光拡散物質からなる拡散プレートと、
前記拡散プレートの下面に形成され、前記拡散プレートの中心部が上にふっくらとして撓むことを防止する第１撓み防止層と、を含むことを特徴とする光拡散ユニット。
【請求項９】
前記拡散プレートはＰＭＭＡ系物質からなり、
前記第１撓み防止層は、前記拡散プレートより水分吸収率が低い物質からなることを特徴とする請求項８記載の光拡散ユニット。
【請求項１０】
前記第１撓み防止層は、スチレン（ｓｔｙｒｅｎｅ）系列のコポリマー（ｃｏｐｏｌｙｍｅｒ）、ポリエチレンテレフタレート（Ｐｏｌｙｅｔｈｙｌｅｎｅ  ｔｅｒｅｐｈｔｈａｌａｔｅ；ＰＥＴ）系列のコポリマー、ポリカボネート（Ｐｏｌｙｃａｒｂｏｎａｔｅ；ＰＣ）系列、シクロオレフィン（Ｃｙｃｌｏｏｌｅｆｉｎ）ポリマー系列、又はシクロオレフィンコポリマー系列を含むことを特徴とする請求項９記載の光拡散ユニット。
【請求項１１】
前記第１撓み防止層に形成され前記第１撓み防止層の表面積を増加させる多数の突起を更に含むことを特徴とする請求項８記載の光拡散ユニット。
【請求項１２】
前記多数の突起は、プリズム形状を有することを特徴とする請求項１１記載の光拡散ユニット。
【請求項１３】
前記拡散プレートの上面に付着され、前記拡散プレートより水分吸収率が低い物質からなり、前記拡散プレートの撓みを防止する第２撓み防止層を更に含むことを特徴とする請求項８記載の光拡散ユニット。
【請求項１４】
前記第２撓み防止層は、スチレン系列のコポリマー、ＰＥＴ系列のコポリマー、ＰＣ系列、シクロオレフィンポリマー系列、又はシクロオレフィンコポリマー系列を含むことを特徴とする請求項１３記載の光拡散ユニット。
【請求項１５】
前記拡散プレートは、０.５ｍｍより厚く、２ｍｍより薄い厚さを有することを特徴とする請求項８記載の光拡散ユニット。
【請求項１６】
光を発生するランプと、
前記光を拡散させる光拡散物質からなる拡散プレート、及び前記拡散プレートに形成され前記拡散プレートの中心部が下にふっくらとして撓むように誘導する突出部を含み、前記ランプの上部に具備される光拡散ユニットと、
前記光拡散ユニットの上に具備され、前記光拡散ユニットから出射された前記光を用いて画像を表示する表示パネルと、を含むことを特徴とする表示装置。
【請求項１７】
前記突出部は前記拡散プレートの下面の端部から突出し、
前記突起は前記拡散プレートと一体で形成されたことを特徴とする請求項１６記載の表示装置。
【請求項１８】
前記ランプを収納する収納容器を更に含み、
前記突出部は、前記収納容器の上端に接触され前記収納容器上に具備された前記拡散プレートを支持し、
前記拡散プレートの荷重により前記拡散プレートの中心部は、下にふっくらとして撓むことを特徴とする請求項１７記載の表示装置。
【請求項１９】
前記突出部は、前記拡散プレートの下面に形成された多数の突起を含み、
前記多数の突起は、プリズム形状を有することを特徴とする請求項１６記載の表示装置。
【請求項２０】
光を発生するランプと、
前記光を拡散させる光拡散物質からなる拡散プレート、及び前記拡散プレートの下面に形成され前記拡散プレートの中心部が上にふっくらとして撓むことを防止する第１撓み防止層を含む光拡散ユニットと、
前記光拡散ユニットの上に具備され、前記光拡散ユニットから出射された前記光を用いて画像を表示する表示パネルと、を含むことを特徴とする表示装置。
【請求項２１】
前記拡散プレートはＰＭＭＡ系物質からなり、
前記第１撓み防止層は、前記拡散プレートより水分吸収率が低いスチレン系列のコポリマー、ポリエチレンテレフタレート系列のコポリマー、ポリカボネート系列、シクロオレフィンポリマー系列、又はシクロオレフィンコポリマー系列を含むことを特徴とする請求項２０記載の光拡散ユニット。
【請求項２２】
前記第１撓み防止層に形成され前記第１撓み防止層の表面積を増加させる多数の突起を含み、
前記多数の突起はプリズム形状を有することを特徴とする請求項２０記載の光拡散ユニット。
【請求項２３】
前記拡散プレートの上面に付着され、前記拡散プレートより水分吸収率が低い物質からなり、前記拡散プレートの撓みを防止する第２撓み防止層を更に含むことを特徴とする請求項２０記載の光拡散ユニット。
【請求項２４】
光拡散物質を圧出して拡散プレートを出力する圧出機と、
前記圧出機の排出口に隣接して具備され、前記圧出機から排出された前記拡散プレートに多数の突起を形成する凸凹ローラーと、
前記拡散プレートを所定の方向に延伸する延伸器と、を含むことを特徴とする光拡散ユニットの製造装置。
【請求項２５】
前記凸凹ローラーには多数のプリズムパターンが形成され、
前記凸凹ローラーは、前記拡散プレートの下面に隣接して具備され、所定の方向で回転して、前記拡散プレートの下面にプリズム形状を有する前記多数の突起を形成することを特徴とする請求項２４記載の光拡散ユニットの製造装置。
【請求項２６】
前記延伸器は、
前記拡散プレートを第１幅方向で延伸する第１延伸ローラーと、
前記拡散プレートを前記第１幅方向と直交する第２幅方向で延伸する第２延伸ローラーと、を含むことを特徴とする請求項２４記載の光拡散ユニットの製造装置。
【請求項２７】
光拡散物質を圧出して拡散プレートを出力し、前記拡散プレートが出力される排出口に前記拡散プレートに多数の突起を形成するための多数の凸凹パターンが形成された凸凹圧出機と、
前記拡散プレートを所定の方向で延伸する延伸器と、を含むことを特徴とする光拡散ユニットの製造装置。
【請求項２８】
多数の凸凹パターンは前記拡散プレートの下面に隣接し、プリズム形状で形成され前記拡散プレートの下面にプリズム形状を有する前記多数の突起を形成することを特徴とする請求項２７記載の光拡散ユニットの製造装置。
【発明の詳細な説明】
【技術分野】
【０００１】
本発明は、光拡散ユニット、これを有する表示装置及びその製造装置に関し、より詳細には、表示品質を向上させることができる光拡散ユニット、これを有する表示装置及びその製造装置に関するものである。
【背景技術】
【０００２】
一般に、液晶表示装置は、光を用いて画像を表示する液晶表示パネル、及び液晶表示パネルの下部に具備され光を発生するバックライトアセンブリで構成される。
【０００３】
液晶表示パネルは、下部電極が具備された下部基板、上部電極が具備され下部電極と向かい合う上部基板、及び下部基板と上部基板との間に介在された液晶層を具備する。下部電極と上部電極に印加された電圧により、下部基板と上部基板との間には電界が形成され、電界により液晶層の液晶分子が配列される。従って、液晶表示パネルは、配列された液晶分子により光の量を調節して画像を表示する。
【０００４】
バックライトアセンブリは、光源の位置によってエッジ型（ｅｄｇｅ  ｔｙｐｅ）と直下型（ｄｉｒｅｃｔ  ｔｙｐｅ）とに分けられる。
【０００５】
エッジ型バックライトアセンブリは、透明導光板の側面に一つ又は二つの光源が具備され、導光板の一面を通じて光源から発生された光を多重反射して液晶表示パネルに出射する。一方、直下型バックライトアセンブリは、液晶表示パネルの直下部に具備された多数の光源を具備し、光源の全面に拡散板を具備し、光源の背面に反射板を具備する。従って、光源から出射された光は、反射板により反射され、拡散板により拡散された後に液晶表示パネルに出射される。
【０００６】
ここで、拡散板は、ポリメチルメタクリレート（ｐｏｌｙｍｅｔｈｙｌｍｅｔｈａｃｒｙｌａｔｅ；ＰＭＭＡ）系列の物質からなる。ＰＭＭＡは、光を拡散させる特性を有する物質であって、ＰＭＭＡからなる拡散板は、光源から出力された光の輝度均一性を向上させる。
【発明の開示】
【発明が解決しようとする課題】
【０００７】
しかし、ＰＭＭＡ物質は完全な非晶質（ａｍｏｒｐｈｏｕｓ）物質なので、全ての特性がポリマーチェイン（ｐｏｌｙｍｅｒ  ｃｈａｉｎ）の流動性により決定される特性を示す。前記した特性を有する拡散板は、熱と湿度により容易に膨脹及び収縮される。
【０００８】
従って、拡散板がバックライトアセンブリに用いられる場合、光源から発生された熱と空気中に存在する湿気により拡散板が撓む現象が発生する。又、拡散板の撓み現象により拡散板上に具備される光学シートにしわがよる現象が発生する。このような拡散板の撓み現象と光学シートにしわがよる現象は、拡散板から出力された光の輝度均一性と液晶表示装置の表示品質を低下させる。
【０００９】
従って、本発明の目的は、表示品質を向上させるための光拡散ユニットを提供することにある。
【００１０】
本発明の他の目的は、前記した光拡散ユニットを有する表示装置を提供することにある。
【００１１】
本発明の更に他の目的は、前記した光拡散ユニットを製造するのに用いられる製造装置を提供することにある。
【課題を解決するための手段】
【００１２】
本願第１発明の一特徴による光拡散ユニットは、光を拡散させる光拡散物質からなる拡散プレート、及び前記拡散プレートに形成され、前記拡散プレートの中心部が下にふっくらとして撓むように誘導する突出部を含む。
【００１３】
光拡散ユニットが、重力が作用する方向ＧＤと垂直に配置される時、突出部は、前記拡散プレートの荷重により拡散プレートの中心部ＣＰが下にふっくらとして撓むように誘導する。その後、光拡散ユニットの使用途中に下にふっくらとして撓む前記拡散プレートの下面に、まず空気中に存在する水分又は熱が吸着されると、前記拡散プレートの下面は、上面より多く収縮される。結果的に、下にふっくらとして撓む前記拡散プレートは、水分又は熱によりフラットな形状に戻る。従って、前記突出部は、水分又は熱により前記拡散プレートの中心部ＣＰが上にふっくらとして撓むことを防止することができる。
【００１４】
従って、前記光拡散ユニットから出力された前記光の輝度均一性が向上されることができるのみならず、光拡散ユニット上に光学シート類を具備した場合には、光学シート類ののしわがよる現象が防止されることができる。よって、この光拡散ユニットを表示装置に用いた場合には、表示品質が向上される。
【００１５】
本願第２発明は、第１発明において、前記拡散プレートは、ポリメチルメタクリレート（Ｐｏｌｙｍｅｔｈｙｌｍｅｔｈａｃｒｙｌａｔｅ；ＰＭＭＡ）系列からなることを特徴とする光拡散ユニットを提供する。
【００１６】
本願第３発明は、第１発明において、前記突出部は、前記拡散プレートの荷重により前記拡散プレートの中心部が下にふっくらとして撓むように誘導できるだけ前記拡散プレートの下面の端部から突出したことを特徴とする光拡散ユニットを提供する。
【００１７】
本願第４発明は、第３発明において、前記突出部は、前記拡散プレートと一体で形成されたことを特徴とする光拡散ユニットを提供する。
【００１８】
本願第５発明は、第１発明において、前記突出部は、前記拡散プレートの下面に形成された多数の突起で構成され、前記拡散プレートの下面の全体面積を増加させることを特徴とする光拡散ユニットを提供する。
【００１９】
本願第６発明は、第５発明において、前記多数の突起は、プリズム形状を有することを特徴とする光拡散ユニットを提供する。
【００２０】
一般に、空気中に存在する水分又は熱は、拡散プレートの下面にまず吸収されるので、拡散プレートの下面から収縮される。多数の突起が、第１方向Ｄ１に延長されたプリズム形状に形成されることで、下面の全体面積が増加される。よって、拡散プレートの下面が水分又は熱により収縮されても、拡散プレートが上にふっくらとして撓む現象を防止できる。
【００２１】
本願第７発明は、第６発明において、前記多数の突起のピッチは、ラウンドされた形状を有することを特徴とする光拡散ユニットを提供する。
【００２２】
本願第８発明の他の特徴による光拡散ユニットは、拡散プレート及び第１撓み防止層を含む。前記拡散プレートは、光を拡散させる光拡散物質からなり、前記撓み防止層は、前記拡散プレートの下面に形成され、前記拡散プレートの中心部が上にふっくらとして撓むことを防止する。
【００２３】
本願第９発明は、第８発明において、前記拡散プレートはＰＭＭＡ系物質からなり、
前記第１撓み防止層は、前記拡散プレートより水分吸収率が低い物質からなることを特徴とする光拡散ユニットを提供する。
【００２４】
本願第１０発明は、第９発明において、前記第１撓み防止層は、スチレン（ｓｔｙｒｅｎｅ）系列のコポリマー（ｃｏｐｏｌｙｍｅｒ）、ポリエチレンテレフタレート（Ｐｏｌｙｅｔｈｙｌｅｎｅ  ｔｅｒｅｐｈｔｈａｌａｔｅ；ＰＥＴ）系列のコポリマー、ポリカボネート（Ｐｏｌｙｃａｒｂｏｎａｔｅ；ＰＣ）系列、シクロオレフィン（Ｃｙｃｌｏｏｌｅｆｉｎ）ポリマー系列、又はシクロオレフィンコポリマー系列を含むことを特徴とする光拡散ユニットを提供する。
【００２５】
本願第１１発明は、第８発明において、前記第１撓み防止層に形成され前記第１撓み防止層の表面積を増加させる多数の突起を更に含むことを特徴とする光拡散ユニットを提供する。
【００２６】
本願第１２発明は、第１１発明において、前記多数の突起は、プリズム形状を有することを特徴とする光拡散ユニットを提供する。
【００２７】
本願第１３発明は、第８発明において、前記拡散プレートの上面に付着され、前記拡散プレートより水分吸収率が低い物質からなり、前記拡散プレートの撓みを防止する第２撓み防止層を更に含むことを特徴とする光拡散ユニットを提供する。
【００２８】
本願第１４発明は、第１３発明において、前記第２撓み防止層は、スチレン系列のコポリマー、ＰＥＴ系列のコポリマー、ＰＣ系列、シクロオレフィンポリマー系列、又はシクロオレフィンコポリマー系列を含むことを特徴とする光拡散ユニットを提供する。
【００２９】
本願第１５発明は、第８発明において、前記拡散プレートは、０.５ｍｍより厚く、２ｍｍより薄い厚さを有することを特徴とする光拡散ユニットを提供する。
【００３０】
本願第１６発明の他の特徴による表示装置は、光を発生するランプ、前記ランプの上部に具備され前記光を拡散させる光拡散ユニット、及び  前記光拡散ユニットの上に具備され、前記光拡散ユニットから出射された前記光を用いて画像を表示する表示パネルを含む。
【００３１】
前記光拡散ユニットは、前記光を拡散させる光拡散物質からなる拡散プレートと、前記拡散プレートに形成され前記拡散プレートの中心部が下にふっくらとして撓むように誘導する突出部を含む。
【００３２】
本願第１７発明は、第１６発明において、前記突出部は前記拡散プレートの下面の端部から突出し、前記突起は前記拡散プレートと一体で形成されたことを特徴とする表示装置を提供する。
【００３３】
本願第１８発明は、第１７発明において、前記ランプを収納する収納容器を更に含み、前記突出部は、前記収納容器の上端に接触され前記収納容器上に具備された前記拡散プレートを支持し、前記拡散プレートの荷重により前記拡散プレートの中心部は、下にふっくらとして撓むことを特徴とする表示装置を提供する。
【００３４】
本願第１９発明は、第１６発明において、前記突出部は、前記拡散プレートの下面に形成された多数の突起を含み、前記多数の突起は、プリズム形状を有することを特徴とする表示装置を提供する。
【００３５】
本願第２０発明の他の特徴による表示装置は、光を発生するランプ、前記ランプの上部に具備され前記光を拡散させる光拡散ユニット、及び前記光拡散ユニットの上に具備され前記光拡散ユニットから出射された前記光を用いて画像を表示する表示パネルを含む。
【００３６】
前記光拡散ユニットは、拡散プレート及び第１撓み防止層を含む。前記拡散プレートは、光を拡散させる光拡散物質からなり、前記撓み防止層は、前記拡散プレートの下面に形成され前記拡散プレートの中心部が上にふっくらとして撓むことを防止する。
【００３７】
本願第２１発明は、第２０発明において、前記拡散プレートはＰＭＭＡ系物質からなり、  前記第１撓み防止層は、前記拡散プレートより水分吸収率が低いスチレン系列のコポリマー、ポリエチレンテレフタレート系列のコポリマー、ポリカボネート系列、シクロオレフィンポリマー系列、又はシクロオレフィンコポリマー系列を含むことを特徴とする光拡散ユニットを提供する。
【００３８】
本願第２２発明は、第２０発明において、前記第１撓み防止層に形成され前記第１撓み防止層の表面積を増加させる多数の突起を含み、前記多数の突起はプリズム形状を有することを特徴とする光拡散ユニットを提供する。
【００３９】
本願第２３発明は、第２０発明において、前記拡散プレートの上面に付着され、前記拡散プレートより水分吸収率が低い物質からなり、前記拡散プレートの撓みを防止する第２撓み防止層を更に含むことを特徴とする光拡散ユニットを提供する。
【００４０】
本願第２４発明の更に他の特徴による光拡散ユニットの製造装置は、圧出機、凸凹ローラー、及び延伸器を含む。前記圧出機は、光拡散物質を圧出して拡散プレートを出力し、前記凸凹ローラーは、前記圧出機の排出口に隣接して具備され、前記圧出機から排出された前記拡散プレートに多数の突起を形成する。前記延伸器は、前記拡散プレートを所定の方向で延伸させる。
【００４１】
本願第２５発明は、第２４発明において、前記凸凹ローラーには多数のプリズムパターンが形成され、前記凸凹ローラーは、前記拡散プレートの下面に隣接して具備され、所定の方向で回転して、前記拡散プレートの下面にプリズム形状を有する前記多数の突起を形成することを特徴とする光拡散ユニットの製造装置を提供する。
【００４２】
本願第２６発明は、第２４発明において、前記延伸器は、前記拡散プレートを第１幅方向で延伸する第１延伸ローラーと、前記拡散プレートを前記第１幅方向と直交する第２幅方向で延伸する第２延伸ローラーと、を含むことを特徴とする光拡散ユニットの製造装置を提供する。
【００４３】
本願第２７発明の更に他の特徴による光拡散ユニットの製造装置は、凸凹圧出機及び延伸器を含む。前記凸凹圧出機は、光拡散物質を圧出して拡散プレートを出力し、前記拡散プレートが出力される排出口には、前記拡散プレートに多数の突起を形成するための多数の凸凹パターンが形成される。前記延伸器は、前記拡散プレートを所定の方向で延伸させる。
【００４４】
本願第２８発明は、第２７発明において、多数の凸凹パターンは前記拡散プレートの下面に隣接し、プリズム形状で形成され前記拡散プレートの下面にプリズム形状を有する前記多数の突起を形成することを特徴とする光拡散ユニットの製造装置を提供する。
【発明の効果】
【００４５】
このような光拡散ユニット、これを有する表示装置、及びその製造装置によると、製造過程で前記光拡散ユニットは、前記拡散プレートの中心部が下にふっくらとして撓むように誘導されることにより、以後、熱と水分により拡散プレートの中心部が上にふっくらとして撓むことを防止することができる。
【発明を実施するための最良の形態】
【００４６】
以下、添付図面を参照して、本発明の好ましい実施例をより詳細に説明する。図１は本発明の一実施例による光拡散ユニットの断面図であり、図２は図１に図示された光拡散ユニットの背面図である。
【００４７】
図１を参照すると、本発明の一実施例による光拡散ユニット１０４は、拡散プレート１１０及び突出部１５０を含む。
【００４８】
前記拡散プレート１１０は、下面１１１、前記下面１１１と向かい合う上面１１２、及び前記下面１１１と上面１１２を連結する側面１１３で構成された四角プレート形状を有する。前記拡散プレート１１０は、前記下面１１１を通じて入射された光を拡散させた後、前記上面１１２に出射させる。本発明の一例として、前記拡散プレート１１０は、ＰＭＭＡ樹脂からなる。
【００４９】
前記突出部１５０は、前記拡散プレート１１０の下面１１１の端部から所定の高さで突出する。又、前記突出部１５０は、前記拡散プレート１１０と一体で形成される。従って、前記光拡散ユニット１０４は、中心部ＣＰで第１厚さｔ３を有し、端部ＥＰで前記第１厚さｔ３より厚い第２厚さｔ４を有する。
【００５０】
前記光拡散ユニット１０４が、重力が作用する方向ＧＤと垂直に配置される時、前記突出部１５０は、前記拡散プレート１１０の荷重により前記拡散プレート１１０の中心部ＣＰが下にふっくらとして撓むように誘導する。
【００５１】
その後、前記光拡散ユニット１０４の使用途中に下にふっくらとして撓む前記拡散プレート１１０の下面１１１に、まず空気中に存在する水分又は熱が吸着されると、前記拡散プレート１１０の下面１１１は、上面１１２より多く収縮される。結果的に、下にふっくらとして撓む前記拡散プレート１１０は、水分又は熱によりフラットな形状に戻る。従って、前記突出部１５０は、水分又は熱により前記拡散プレート１１０の中心部ＣＰが上にふっくらとして撓むことを防止することができる。
【００５２】
図示していないが、前記突出部１５０は、前記拡散プレート１１０の角部分に対応する位置で前記下面１１１から突出して前記拡散プレート１１０の撓みを誘導することができる。
【００５３】
図３は、図１に図示された光拡散ユニットを有する表示装置の断面図である。
【００５４】
図３を参照すると、表示装置９０２は、光を発生するバックライトアセンブリ６００、及び前記バックライトアセンブリ６００上に具備され、前記光を用いて画像を表示する表示パネル７００を含む。
【００５５】
前記表示パネル７００は、第１基板７１０、前記第１基板７１０と向かい合う第２基板７２０、及び第１基板７１０と第２基板７２０との間に介在された液晶層（図示せず）で構成される。ここで、前記第１基板７１０は、薄膜トランジスタ（図示せず）と画素電極（図示せず）がマトリックス形態で形成された基板である。前記第２基板７２０は、通過される光により所定の色で発現される多数の色画素で構成されたカラーフィルター層（図示せず）、及び前記画素電極と向かい合う共通電極（図示せず）が形成された基板である。
【００５６】
前記バックライトアセンブリ６００は、多数のランプ２００、光拡散ユニット１０４、光学シート類３００、反射板４００、及び収納部材５００を含む。
【００５７】
前記多数のランプ２００は、互いに平行に配置され光を発生する。前記光拡散ユニット１０４は、前記多数のランプ２００の上部に具備され、前記多数のランプ２００から出力された前記光を拡散させる。従って、前記光拡散ユニット１０４によって拡散された光は、均一な輝度分布を有する。
【００５８】
前記光学シート類３００は、前記光拡散ユニット１０４上に具備され、前記光拡散ユニット１０４によって拡散された光の視野角及び正面輝度を向上させる。前記光学シート類３００により視野角及び正面輝度が向上された光が前記表示パネル７００に提供される。ここで、前記光拡散ユニット１０４の撓み現象が除去され、前記光拡散ユニット１０４上に具備された前記光学シート類３００のしわがよる現象を防止することができ、その結果、前記表示装置９０２の表示品質を改善できる。
【００５９】
一方、前記反射板４００は、前記多数のランプ２００の下部に具備され、前記多数のランプ２００から漏洩した光を前記光拡散ユニット１０４側に反射して、前記バックライトアセンブリ６００の光効率を向上させる。
【００６０】
前記収納部材５００は、底面５１０及び前記底面５１０から延長された側壁５２０により定義された収納空間５０１に、反射板４００と前記多数のランプ２００が収納される。前記収納部材５００の側壁５２０の上端には、第１端縁棚５２１及び第２端縁棚５２２が順次に形成される。
【００６１】
前記第１端縁棚５２１には、前記光拡散ユニット１０４が安着される。特に、前記第１端縁棚５２１は、前記光拡散ユニット１０４の端部ＥＰ（図１に図示）に形成された突出部１５０と接触される。従って、前記収納容器５００の第１端縁棚５２１に安着された前記拡散プレート１１０は、自体荷重により中心部ＣＰが下にふっくらとして撓む。ここで、前記突出部１５０が高くなるほど、前記拡散プレート１１０の撓み程度が増加するので、前記突出部１５０の高さを調節して、前記拡散プレート１１０の撓み程度を調節することができる。
【００６２】
以後、空気中に存在する水分又は前記多数のランプ２００から提供された熱により、前記光拡散ユニット１０４が上にふっくらとして撓む現象が防止される。従って、前記光拡散ユニット１０４から出力された前記光の輝度均一性が向上されることができるのみならず、前記光拡散ユニット１０４上に具備される前記光学シート類３００のしわがよる現象が防止されることができる。その結果、前記表示装置９０２の表示品質が向上されることができる。
【００６３】
前記光拡散ユニット１０４の上には、前記光学シート類３００が具備され、前記光学シート類３００上には、前記表示パネル７００が具備される。前記表示パネル７００の端部は、前記収納容器５００の前記第２端縁棚５２２に安着される。
【００６４】
一方、前記表示装置９０２は、前記収納部材５００と対向して結合するカバー部材８００を更に含む。前記カバー部材８００は、前記収納部材５００に安着された前記表示パネル７００の端部を加圧して、前記表示パネル７００を前記収納部材５００に固定させる。
【００６５】
図４は、本発明の他の実施例による光拡散ユニットの断面図であり、図５は、図４に図示された光拡散ユニットの斜視図である。図６は、本発明の更に他の実施例による光拡散ユニットの断面図である。
【００６６】
図４及び図５を参照すると、本発明の他の実施例による光拡散ユニット１０５は、拡散プレート１１０及び多数の突起１６０を含む。前記多数の突起１６０は、前記拡散プレート１１０の下面１１１に形成され、前記下面１１１の全体面積を増加させる。特に、前記多数の突起１６０は、第１方向Ｄ１に延長されたプリズム形状に形成される。
【００６７】
一般に、空気中に存在する水分又は熱は、前記拡散プレート１１０の下面１１１にまず吸収されるので、前記拡散プレート１１０の下面１１１から収縮される。本発明では、図４及び図５に示すように、前記多数の突起１６０により前記下面１１１の全体面積が増加されることで、前記拡散プレート１１０の下面１１１が水分又は熱により収縮されても、前記拡散プレート１１０が上にふっくらとして撓む現象を防止できる。
【００６８】
図６に示すように、本発明の更に他の実施例による光拡散ユニット１０６において、多数の突起１６５のピッチＰ（図４に図示）はラウンドされた形状を有する。
【００６９】
又、図示していないが、前記多数の突起１６０は、図４及び図５に示すようなプリズム形状のみならず、半円形又は多角形の断面を有することができる。又、前記多数の突起１６０は前記第１方向のみならず、前記第１方向Ｄ１と異なる方向に延長されるように形成されることができる。図７は、本発明の更に他の実施例による光拡散ユニットの断面図である。
【００７０】
図７を参照すると、本発明の更に他の実施例による光拡散ユニット１０１は、拡散プレート１１０及び撓み防止層１２０を含む。
【００７１】
前記拡散プレート１１０は、下面１１１、前記下面１１１と向かい合う上面１１２、及び前記下面１１１と上面１１２を連結する側面１１３で構成された四角プレート形状を有する。前記拡散プレート１１０は、前記下面１１１を通じて入射された光を拡散させた後、前記上面１１２に出射させる。
【００７２】
本発明の一例として、前記拡散プレート１１０はＰＭＭＡ樹脂からなる。又、前記拡散プレート１１０は、０.５ｍｍより厚く、２ｍｍより薄い厚さｔを有する。
【００７３】
一方、前記撓み防止層１２０は、前記拡散プレート１１０より小さい水分吸収率を有する物質からなり、前記拡散プレート１１０の下面１１１に付着される。
【００７４】
本発明の一例として、前記撓み防止層１２０は、スチレン系列のコポリマー、ポリエチレンテレフタレート系列のコポリマー、ポリカボネート系列、シクロオレフィンポリマー系列、又はシクロオレフィンコポリマー系列を含む。
【００７５】
従って、前記撓み防止層１２０と前記拡散プレート１１０との収縮率の差により、前記光拡散ユニット１０１は製造過程で下にふっくらとして撓む。以後、下にふっくらとして撓む前記光拡散ユニット１０１に水分又は熱が加わると、前記光拡散ユニット１０１はフラットな形状に戻る。従って、前記光拡散ユニット１０１は、前記撓み防止層１２０を更に具備することにより、前記拡散プレート１１０の中心部ＣＰが上にふっくらとして撓むことを防止できる。
【００７６】
図８は、本発明の他の実施例による光拡散部材の断面図である。
【００７７】
図８を参照すると、本発明の他の実施例による光拡散ユニット１０２は、拡散プレート１１０、第１撓み防止層１２０、及び第２撓み防止層１３０を含む。
【００７８】
前記第１撓み防止層１２０は、前記拡散プレート１１０の下面１１１に付着され、前記第２撓み防止層１３０は、前記拡散プレート１１０の上面１１２に付着される。前記第１及び第２撓み防止層１２０、１３０は、前記拡散プレート１１０より小さい水分吸収率を有する。本発明の一例として、前記第１及び第２撓み防止層１２０、１４０は、スチレン系列のコポリマー、ポリエチレンテレフタレート系列のコポリマー、ポリカボネート系列、シクロオレフィンポリマー系列、又はシクロオレフィンコポリマー系列を含む。
【００７９】
従って、前記第１及び第２撓み防止層１２０、１３０は、水分又は熱により前記拡散プレート１１０の中心部ＣＰが上にふっくらとして撓むことを防止できる。
【００８０】
図９は、本発明の更に他の実施例による光拡散ユニットの断面図である。
【００８１】
図９を参照すると、本発明の更に他の実施例による光拡散ユニット１０７は、拡散プレート１１０、撓み防止層１４０、及び多数の突起１４１を含む。
【００８２】
前記撓み防止層１４０は、前記拡散プレート１１０より水分吸収率が低い物質からなり、前記拡散プレート１１０の下面１１１に形成される。
【００８３】
前記多数の突起１４１は、前記撓み防止層１４０に形成され前記撓み防止層１４０の全体面積を増加させる。特に、前記多数の突起１６０は、プリズム形状で形成される。前記多数の突起１４１は、前記撓み防止層１４０に形成され前記撓み防止層１４０の全体面積を増加させることにより、前記光拡散ユニット１０７が下にふっくらとして撓む程度をより増加させる。
【００８４】
図１０は、図７に図示された光拡散ユニットを有する表示装置の断面図である。
【００８５】
図１０を参照すると、表示装置９００は、光を発生するバックライトアセンブリ６００、前記バックライトアセンブリ６００上に具備され前記光を用いて画像を表示する表示パネル７００、及びカバー部材８００を含む。前記バックライトアセンブリ６００は、多数のランプ２００、光拡散ユニット１０１、光学シート類３００、反射半４００、及び収納部材５００で構成される。
【００８６】
前記多数のランプ２００は、互いに平行に配置され光を発生する。前記光拡散ユニット１０４は、前記多数のランプ２００の上部に具備され、前記多数のランプ２００から出力された前記光を拡散させる。
【００８７】
前記光学シート類３００は、前記光拡散ユニット１０１上に具備され、前記光拡散ユニット１０４により拡散された光の視野角及び正面輝度を向上させる。前記光学シート類３００により視野角及び正面輝度が向上された光が前記表示パネル７００に提供される。
【００８８】
前記収納部材５００の第１端縁棚５２１には前記光拡散ユニット１０１が安着され、その上に前記光学シート類３００が具備される。前記光学シート類３００上には前記表示パネル７００が具備され、前記表示パネル７００の端部は、前記収納容器５００の前記第２端縁棚５２２に安着される。
【００８９】
ここで、前記光拡散ユニット１０１は、前記撓み防止層１２０と前記拡散プレート１１０との収縮率の差によって、製造過程で下にふっくらとして撓む。以後、下にふっくらとして撓む前記光拡散ユニット１０１に水分、又は前記多数のランプ２００から発生された熱が加わると、前記光拡散ユニット１０１はフラットな形状に戻る。従って、前記光拡散ユニット１０１は、前記撓み防止層１２０を更に具備することにより、前記拡散プレート１１０の中心部ＣＰが上にふっくらとして撓むことを防止できる。
【００９０】
又、前記光拡散ユニット１０１の撓みが防止されることにより、前記光拡散ユニット１０４から出力された前記光の輝度均一性が向上されることができるのみならず、前記光拡散ユニット１０４上に具備される前記光学シート類３００のしわがよる現象が防止される。これにより、前記表示装置９０２の表示品質が向上されることができる。図１１は、図４に図示された光拡散ユニットを製造するのに用いられる製造装置を示す図である。
【００９１】
図１１を参照すると、製造装置５１は、圧出機１０、凸凹ローラー２０、第１、第２、第３、及び第４延伸ローラー３１、３２、４１、４２を含む。前記圧出機１０は、注入口１１を通じて注入された光拡散物質を圧出した後、排出口１２を通じて拡散プレート１１０を出力する。
【００９２】
前記プリズムローラー２０の外周面には、多数のプリズムパターン２１が形成される。前記プリズムローラー２０は前記圧出機１０の前記排出口１２に隣接して具備され、前記プリズムローラー２０は、前記圧出機１０から排出された前記拡散プレート１１０の下面１１１上で所定の方向で回転する。従って、前記プリズムローラー２０が通過した前記拡散プレート１１０の前記下面１１１には、プリズム形状を有する多数の突起１６０が形成される。
【００９３】
前記第１及び第２延伸ローラー３１，３２は、前記多数の突起１６０が形成された前記拡散プレート１１０の上／下部にそれぞれ具備される。前記第１及び第２延伸ローラー３１、３２は、所定の方向で回転して前記拡散プレート１１０を前記拡散プレート１１０の第１幅方向ＭＤで延伸させる。
【００９４】
前記第３及び第４延伸ローラー４１、４２は、前記第１及び第２延伸ローラー３１、３２により第１幅方向ＭＤに延伸された前記拡散プレート１１０の上／下部にそれぞれ具備される。前記第３及び第４延伸ローラー４１、４２は、所定の方向で回転して前記拡散プレート１１０を前記第１幅方向ＭＤと直交する第２幅方向ＴＤで延伸させる。
【００９５】
図１２は、本発明の他の実施例による光拡散ユニットの製造装置を示す図であり、図１３は、図１２に図示された圧出機の排出口を具体的に示す斜視図である。
【００９６】
図１２及び図１３を参照すると、本発明の他の実施例による製造装置５２は、プリズム圧出機６０、第１、第２、第３、及び第４延伸ローラー３１、３２、４１、４２を含む。前記プリズム圧出機６０は、注入口６１を通じて注入された光拡散物質を圧出した後、排出口６２を通じて拡散プレート１１０を出力する。前記排出口６２には、前記拡散プレート１１０の下面１１１にプリズム形状を有する多数の突起１６０を形成するために、多数のプリズムパターン６２ａが形成される。
【００９７】
前記第１及び第２延伸ローラー３１、３２は、前記プリズム圧出機６０から出力され、前記多数の突起１６０が形成された前記拡散プレート１１０の上／下部にそれぞれ具備される。前記第１及び第２延伸ローラー３１、３２は、所定の方向で回転して前記拡散プレート１１０を前記拡散プレート１１０の第１幅方向ＭＤで延伸させる。
【００９８】
一方、前記第３及び第４延伸ローラー４１、４２は、前記第１及び第２延伸ローラー３１、３２により、第１幅方向ＭＤに延伸された前記拡散プレート１１０の上／下部にそれぞれ具備される。前記第３及び第４延伸ローラー４１、４２は、所定の方向で回転して前記拡散プレート１１０を前記第１幅方向ＭＤと直交する第２幅方向ＴＤに延伸させる。
【産業上の利用可能性】
【００９９】
このような光拡散ユニット、これを有する表示装置、及びその製造装置によると、製造過程で前記光拡散ユニットは、前記拡散プレートの中心部が下にふっくらとして撓むように誘導されることで、以後、熱と水分により拡散プレートの中心部が上にふっくらとして撓むことを防止できる。
【０１００】
従って、前記光拡散ユニットから出力される光の輝度均一性が向上されることができるのみならず、前記光拡散ユニットの上に具備された前記光学シート類のしわがよる現象を防止できる。その結果、前記表示装置の表示品質が向上されることができる。
【０１０１】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１０２】
【図１】本発明の一実施例による光拡散ユニットの断面図である。
【図２】図１に図示された光拡散ユニットの背面図である。
【図３】図１に図示された光拡散ユニットを有する表示装置の断面図である。
【図４】本発明の他の実施例による光拡散ユニットの断面図である。
【図５】図４に図示された光拡散ユニットの斜視図である。
【図６】本発明の更に他の実施例による光拡散ユニットの断面図である。
【図７】本発明の更に他の実施例による光拡散ユニットの断面図である。
【図８】本発明の更に他の実施例による光拡散ユニットの断面図である。
【図９】本発明の更に他の実施例による光拡散ユニットの断面図である。
【図１０】図７に図示された光拡散ユニットを有する表示装置の断面図である。
【図１１】図４に図示された光拡散ユニットを製造するのに用いられる製造装置を示す断面図である。
【図１２】本発明の他の実施例による光拡散ユニットの製造装置を示す図である。
【図１３】図１２に図示された圧出機の排出口を具体的に示す斜視図である。
【符号の説明】
【０１０３】
１０４    光拡散ユニット
１１０    拡散プレート
１１１    下面
１１２    上面
１１３    側面
１５０    突出部
２００    ランプ
３００    光学シート類
４００    反射板
５００    収納部材
５０１    収納空間
５１０    底面
５２０    側壁
５２１    第１端縁棚
５２２    第２端縁棚
６００    バックライトアセンブリ
７００    表示パネル
７１０    第１基板
７２０    第２基板
９０２    表示装置
【図１】
2006106651.tif 000003
【図２】
2006106651.tif 000004
【図３】
2006106651.tif 000005
【図４】
2006106651.tif 000006
【図５】
2006106651.tif 000007
【図６】
2006106651.tif 000008
【図７】
2006106651.tif 000009
【図８】
2006106651.tif 000010
【図９】
2006106651.tif 000011
【図１０】
2006106651.tif 000012
【図１１】
2006106651.tif 000013
【図１２】
2006106651.tif 000014
【図１３】
2006106651.tif 000015